(57)【要約】      （修正有）【課題】複数個の柱形スパイラル筋を含む柱体構造に関するものである。【解決手段】柱形スパイラル筋は複数個のクリアランス（隙間）を有し、その一部分は、左右の隣接前記柱形スパイラル筋の各クリアランスに挿入され、同時に各柱形スパイラル筋の内部には第一重なり領域および第二重なり領域を有し、また同時に内側の第一弧状部と外側の第二弧状部を有する。第二弧状部の長さは第一個上部の長さより長く、前記第一弧状部のそれぞれが囲む部分で非重なり領域を構成する。複数個の柱形スパイラル筋を並べて組み合わせることで柱形スパイラル筋構造を形成し、クラウチングをすることで大きなサイズの柱・梁構造の骨組みを形成する。【選択図】図２ａ
0003142760.tif 000002
【実用新案登録請求の範囲】
【請求項１】
複数個のクリアランス（隙間）を有する複数個の柱形スパイラル筋を含み、各前記柱形スパイラル筋の一部分は、左右の隣接する前記柱形スパイラル筋の前記クリアランスに挿入され、同時に、各前記柱形スパイラル筋の内部には第一重なり領域および第二重なり領域を有して多重重なり領域を形成し、前記第一重なり領域及び前記第二重なり領域は、前記柱形スパイラル筋が有する内側の第一弧状部と外側の第二弧状部を定義し、前記第二弧状部の長さは第一個上部の長さより長く、前記第一弧状部のそれぞれが囲む部分で非重なり領域を構成することを特徴とする柱体構造。
【請求項２】
前記非重なり領域を中心とし更にスペースを有し、前記スペースの範囲は前記非重なり領域より小さく、前記スペースと前記柱形スパイラル筋は平行で交わらないことを特徴とする、請求項1に記載した柱体構造。
【請求項３】
前記柱形スパイラル筋を組み合わせて形成した柱体の断面輪郭が、正方形、円形或いは楕円形で実施されることを含むことを特徴とする、請求項1に記載した柱体構造。
【考案の詳細な説明】
【技術分野】
【０００１】
本考案は、土木工事で使用される柱形スパイラル筋構造に関し、特に橋脚の土台などに用いられる大きなサイズの柱体構造の骨組みに関する。
【背景技術】
【０００２】
一般的な鉄筋コンクリートの設計構造においては、構造の耐震性を高めるために、一般的に帯筋で鉄筋とコンクリートを拘束し、鉄筋と鉄筋とコンクリートが震動を受けてもしっかりと結合させておくことができる。
【０００３】
鉄骨鉄筋コンクリートを設計するとき、大抵は鉄骨を、荷重の支え及び引張、せん断への抵抗の主要な部品としている。そして鉄骨の周囲に鉄筋及び帯筋を加えることで、鉄骨が受ける力を分担しコンクリートの付着力を増加させ、横向きに力を受けたときの共振を減少させる。しかしながら、現在の鉄骨鉄筋コンクリートの設計においては、鉄筋部分の設計及び応用方式は単純であり、実際の施工上の要求を満足させるのは容易ではない。それ以外にも、柱形スパイラル筋の生産製造技術及び組立技術には限度があり、合理的な設計の下では、単一の柱形スパイラル筋が提供できる強度にやはり限りがある。
【考案の開示】
【考案が解決しようとする課題】
【０００４】
本考案は、クラウチングによって大きなサイズの柱、梁の構造体の骨組みを形成する柱体構造を提供することを主な目的とする。
【０００５】
本考案は、複数個の柱形スパイラル筋を並べ組み合わせて柱形スパイラル筋構造を形成することにより、拘束力を高め柱体構造の剛性を強化することができる柱体構造を提供することをもう一つの目的とする。
【０００６】
本考案は、各柱形スパイラル筋を組み合わせて単一の柱形スパイラル筋構造を形成することで、構造全体の鉄筋の使用量を減らして施工効率を向上させることができる柱体構造を提供することをもう一つの目的とする。
【０００７】
本考案は、構造設計上の選択性と変化性を増加させることができる柱体構造を提供することをもう一つの目的とする。
【課題を解決するための手段】
【０００８】
複数個のクリアランス（隙間）を有する複数個の柱形スパイラル筋を含み、各前記柱形スパイラル筋の一部分は、左右の隣接する前記柱形スパイラル筋の前記クリアランスに挿入され、同時に、各前記柱形スパイラル筋の内部には第一重なり領域および第二重なり領域を有して多重重なり領域を形成し、前記第一重なり領域及び前記第二重なり領域は、前記柱形スパイラル筋が有する内側の第一弧状部と外側の第二弧状部を定義し、前記第二弧状部の長さは第一個上部の長さより長く、前記第一弧状部のそれぞれが囲む部分で非重なり領域を構成することを特徴とする柱体構造。
【考案を実施するための最良の形態】
【０００９】
以下、添付図面を参照して本考案の実施の形態を詳細に説明する。
【実施例１】
【００１０】
図１が示すように、本考案の各柱形スパイラル筋１００は複数個のクリアランス１５０を有する。連続し中断されない鉄筋を折り曲げることで、クリアランス１５０を有するスパイラル鉄筋が形成される。その種類は竹節鉄筋、溝形鋼、丸鋼を含むがこれに限定されるものではない。また、２段以上に折り曲げられた連続した鉄筋は、各柱形スパイラル筋１００を形成することができ、その後、溶接、螺合或いはその他の接合方式を用いて、それぞれの柱形スパイラル筋１００を設計及び施工が必要とする長さにする。クリアランス１５０のそれぞれの間隔／ピッチは５０ミリメートルから１１０ミリメートルの間が好ましい。さらに、一部分を左右の隣接する上記柱形スパイラル筋１００の上記クリアランス１５０の中に挿入することで、各柱形スパイラル筋１００内に第一重なり領域１７０及び第二重なり領域１９０をもたせる。
【００１１】
図２ａが示すように、各第一重なり領域１７０及び第二重なり領域１９０は柱形スパイラル筋１００に第一弧状部２１０及び第二弧状部２３０を定義する。また、第一重なり領域１７０及び第二重なり領域１９０が定義する柱形スパイラル筋１００は、内側の第一弧状部２１０と第二弧状部２３０を有する。各第二弧状部２３０の長さは各第一弧状部２１０の長さより長く、その第一弧状部２１０と隣接する各第一弧状部２１０はそれぞれが囲む部分で非重なり領域２００を構成する。前記非重なり領域２００は柱形スパイラル筋１００が組み合わさっている部分の外側に位置するが、柱形スパイラル構造全体の内側部分に位置する。それ以外にも、第一弧状部２１０のそれぞれが囲む部分で構成される非重なり領域２００は、この中空領域を形成するために少なくとも５個の柱形スパイラル筋１００を必要とする。
【００１２】
図２ｂが示すように、前記副柱形スパイラル筋３００は非重なり領域２００を中心／軸心とし、柱形スパイラル筋１００の隙間（図には表示せず）にそれぞれ通し、その一部を第一重なり領域１７０及び第二重なり領域１９０内に入れる。第一、第二重なり領域１７０、１９０は多重重なり領域３１０を形成し、副柱形スパイラル筋３００の大きさ／断面形状は拘束する柱形スパイラル筋１００の大きさ／断面形状と似通っているのが好ましい。
【００１３】
また、図２ｃが示すように、前記副柱形スパイラル筋３００の大きさを柱形スパイラル筋１００とは異なるサイズにすることもできる。例えば副柱形スパイラル筋３００の断面形状を柱形スパイラル筋１００の断面形状に対して２−５倍の大きさにすることができる。それ以外にも、副柱形スパイラル筋３００は非重なり領域２００を中心／軸心にしないで、柱形スパイラル筋１００の隙間（図には表示せず）に通すこともできるが、その数量、形状、大きさ及び鉄筋の号数は、強度需要及び施行状況に応じて変更される。
【００１４】
非重なり領域２００の面積が大きくなるにつれて、各柱形スパイラル筋１００が拘束し骨組みになる面積も大きくなり、それにともない必要になる柱形スパイラル筋１００の数量も多くなる。それ以外にも、副柱形スパイラル筋３００を各柱形スパイラル筋１００の隙間内を通すことで拘束力が形成され構造が強化される。
【００１５】
図２ｄが示すように、複数個の第一副主筋５００を設置することで、一対の柱形スパイラル筋１００の拘束力を増加させることができる。各第一副主筋５００はそれぞれ柱形スパイラル筋１００の第二弧状部２３０に通し、また第一重なり領域１７０或いは第二重なり領域１９０の一部分に通す。しかしながら、異なる実施例においては、柱形スパイラル筋全体の内側に設置することもでき、柱体の構造の大きさ、強度需要或いは実際の施行状況に応じて変更される。
【００１６】
図３及び図４ｂが示すように、非重なり領域２００を中心／軸心とするとき、さらにスペース４００を有することができる。スペース４００の範囲は非重なり領域２００より小さく、スペース４００と各柱形スパイラル筋１００は平行で交わらない。スペース４００は円形の中空空間或いは円形のソリッド空間を含み、また、スペース４００は長方形、正方形、楕円形或いはその他の形状なども含む。円形のスペース４００内で型を組みグラウチングしないときは、円形で中空な柱体構造が形成される。もしこのスペース４００内で型を組まないときは、各柱形スパイラル筋１００の外で型を組みクラウチングすることでスペース４００を埋めると、円形でソリッドな柱体構造体が形成される。
【００１７】
並べて組み合わせた各柱形スパイラル筋１００の断面形状は、図２ａ〜図３のような円形構造を形成する。この円形構造に従って型を組んだ後クラウチングをすると、円柱形の柱体構造体を形成することができる。また、図４ａが示すように、正方形や長方形の構造を形成することもできる。この正方形や長方形構造に従って型を組んだ後クラウチングすると、長方形の柱体構造体が形成される。さらに、図５が示すように楕円形の構造も形成することができる。この構造を骨組みにして型を組んだ後クラウチングをすると、楕円形の柱体構造体が形成される。
【００１８】
図４ｃ及び図４ｄが示している第一副主筋５００及び第二副主筋６００は、構造上の拘束力を増加させる。なお、第一副主筋５００の形状と第二副主筋６００の形状は、それぞれ円形或いはコの字型である。また、第一及び第二副主筋５００．６００の形状は長方形、楕円形或いはコの字型など各種形状を含むことができる。各第一副主筋５００は柱形スパイラル筋１００の外側或いは内側に設置することができ、各第一重なり領域１７０及び各第二重なり領域１９０の両端の周囲を第一副主筋５００で拘束する。なお、大きい面積の非重なり領域２００内には、各柱形スパイラル筋１００と拘束されない副柱形スパイラル筋或いは副主筋（図には表示せず）を増設することで、拘束力を高めたり構造を強化したりすることができる。
【００１９】
その他にも。異なる方式を用いて構造の拘束力を増加させることができる。例えば、コの字型の第二副主筋６００を使用して、それぞれを各一対の柱形スパイラル筋１００における第一弧状部２１０或いは第二弧状部２３０に連接する。第二副主筋６００は柱形スパイラル筋１００全体の外側の第二弧状部２３０或いは内側の第一弧状部２１０に設置することができ、また、単独で第二弧状部２３０上或いは第一弧状部２１０上に設置することもできる。第一及び第二主筋５００、６００の鉄筋のサイズ、号数或いは形状は強度需要や設計需要に応じて変更される。
【図面の簡単な説明】
【００２０】
【図１】本考案柱体構造の組合せ立体図。
【図２ａ】本考案柱体構造の好ましい実施例の断面図。
【図２ｂ】図２ａに副柱形スパイラル筋を増加させた断面図。
【図２ｃ】図２ｂのもう一つの実施例の断面図。
【図２ｄ】本考案柱体構造におけるもう一つの実施例の断面図。
【図３】本考案柱体構造におけるもう一つの実施例の断面図。
【図４ａ】本考案柱体構造におけるもう一つの実施例の断面図。
【図４ｂ】正方形スペースを有する本考案柱体構造の断面図。
【図４ｃ】図４ａに複数個の副主筋を増加させた断面図。
【図４ｄ】４ｃのもう一つの実施例の断面図。
【図５】本考案柱体構造におけるもう一つの実施例の断面図。
【符号の説明】
【００２１】
１００  柱形スパイラル筋
１５０  クリアランス（隙間）
１７０  第一重なり領域
１９０  第二重なり領域
２００  非重なり領域
２１０  第一弧状部
２３０  第二弧状部
３００  副柱形スパイラル筋
３１０  多重重なり領域
４００  スペース
５００  第一副主筋
６００  第二副主筋（コの字形帯筋）
【図１】
0003142760.tif 000003
【図２ａ】
0003142760.tif 000004
【図２ｂ】
0003142760.tif 000005
【図２ｃ】
0003142760.tif 000006
【図２ｄ】
0003142760.tif 000007
【図３】
0003142760.tif 000008
【図４ａ】
0003142760.tif 000009
【図４ｂ】
0003142760.tif 000010
【図４ｃ】
0003142760.tif 000011
【図４ｄ】
0003142760.tif 000012
【図５】
0003142760.tif 000013